(57)【要約】【課題】取得した電子メールに含まれる日時および場所や用件等を迅速かつ容易に登録することが可能な情報処理装置およびスケジュール管理方法を提供することを目的とする。【解決手段】本発明の情報処理装置としてのＰＨＳ端末１１０は、メール取得部２２４と、取得した電子メールに、日時および内容情報が含まれているか否かを判定し、当該日時および内容情報を抽出するスケジュール抽出部２５０と、抽出した日時および内容情報を登録候補としてリスト化した候補リストを生成する候補リスト生成部２５２と、表示部２１４と、ユーザの承諾入力に応じて選択された登録候補に従ってスケジュールファイルを生成するファイル生成部２６０と、スケジュールファイルを格納するスケジュール格納部２３０と、を備えることを特徴としている。【選択図】図２
2013047966.tif 000002
【特許請求の範囲】
【請求項１】
電子メールを取得するメール取得部と、
前記取得した電子メールに、日時および場所、対象物、用件のうちいずれかもしくは複数を含む内容情報が含まれているか否かを判定し、該日時および内容情報を抽出するスケジュール抽出部と、
前記抽出した日時および内容情報を登録候補としてリスト化した候補リストを生成する候補リスト生成部と、
前記候補リストを表示する表示部と、
ユーザの承諾入力に応じて選択された前記登録候補に従ってスケジュールファイルを生成するファイル生成部と、
前記スケジュールファイルを格納するスケジュール格納部と、
を備えることを特徴とする情報処理装置。
【請求項２】
情報処理装置を用いたスケジュール管理方法であって、
電子メールを取得し、
前記取得した電子メールに、日時および場所、対象物、用件のうちいずれかもしくは複数を含む内容情報が含まれているか否かを判定、抽出し、
前記抽出した日時および内容情報を登録候補としてリスト化した候補リストを生成し、
前記候補リストを表示し、
ユーザの承諾入力に応じて選択された前記登録候補に従ってスケジュールファイルを生成し、
前記スケジュールファイルを格納することを特徴とするスケジュール管理方法。
【発明の詳細な説明】
【技術分野】
【０００１】
本発明は、取得した電子メールを利用してスケジュール管理を行う情報処理装置およびスケジュール管理方法に関する。
【背景技術】
【０００２】
近年の情報処理装置の高機能化に伴い、ユーザは、ＰＨＳ（Personal Handy-phone System）や携帯電話、ＰＤＡ（Personal Digital Assistant）など様々な情報処理装置を用いてスケジュールを管理することができるようになった。
【０００３】
特にＰＨＳや携帯電話といった電子メールをやり取りする情報処理装置においては、日時、および場所や用件等を電子メールに含ませて相手先に送信することができるため、当該電子メールを受信したユーザは、受信した電子メールを参照してスケジュールを作成することが多い。
【０００４】
しかし、従来の情報処理装置は、スケジュール管理を遂行するアプリケーションと電子メールを管理するアプリケーションが連動していないため、日時、および場所や用件等を含んだ電子メールを受信したユーザは、受信した電子メールから日時、および場所や用件等を自身が抽出し、別途スケジュール管理アプリケーションを立ち上げて自ら手動で入力しなければならなかった。したがって、煩雑な操作が生じ入力ミス等の問題が生じやすいため、使い勝手が悪かった。
【０００５】
そこで、従来からも受信した電子メールからスケジュールを抽出する技術として、受信した電子メールの中から時間情報を抽出し、抽出した時間情報に対して手動でスケジュールを入力する技術が開示されている（例えば、特許文献１）。
【先行技術文献】
【特許文献】
【０００６】
【特許文献１】特開２００３−１０８５０１号公報
【発明の概要】
【発明が解決しようとする課題】
【０００７】
しかし、上述した特許文献１に記載の電子メールからスケジュールを抽出する技術では、電子メールから自動的に取得できるのは時間情報だけであるため、場所や用件等は別途ユーザが手動で入力を行う必要があった。
【０００８】
本発明は、このような課題に鑑み、取得した電子メールに含まれる日時および場所や用件等を迅速かつ容易に登録することが可能な情報処理装置およびスケジュール管理方法を提供することを目的としている。
【課題を解決するための手段】
【０００９】
上記課題を解決するために、本発明にかかる情報処理装置の代表的な構成は、電子メールを取得するメール取得部と、取得した電子メールに、日時および場所、対象物、用件のうちいずれかもしくは複数を含む内容情報が含まれているか否かを判定し、当該日時および内容情報を抽出するスケジュール抽出部と、抽出した日時および内容情報を登録候補としてリスト化した候補リストを生成する候補リスト生成部と、候補リストを表示する表示部と、ユーザの承諾入力に応じて選択された登録候補に従ってスケジュールファイルを生成するファイル生成部と、スケジュールファイルを格納するスケジュール格納部と、を備えることを特徴とする。
【００１０】
スケジュール抽出部を備える構成により、日時、および場所、対象物、用件のうちいずれかもしくは複数を含む内容情報が、取得した電子メールに含まれるか否かを迅速かつ容易に判定し、抽出することができる。
【００１１】
また、候補リスト生成部は抽出した日時および内容情報を登録候補としてリスト化した候補リストを生成し、表示部は当該候補リストを表示することとなる。これにより、ユーザは、表示部を視認するだけで、電子メールを開封せずとも当該電子メールに含まれる登録候補の日時および内容情報を含む候補リストを確認することができる。
【００１２】
また、ファイル生成部を備える構成により、スケジュール抽出部が間違った抽出や不要な抽出を行った場合でもユーザが表示部を介して確認を行い、その後ユーザの承諾入力に応じてファイル生成部がスケジュールファイルを生成するため、正確かつ確実に電子メールに含まれる日時および内容情報に従ってスケジュールファイルを生成することができる。
【００１３】
したがって、ユーザは従来のような煩雑な操作入力をせずとも、正確かつ迅速に、取得した電子メールに含まれる日時および場所、会う人等の対象物、用件のうちいずれかもしくは複数を含む内容情報に従ってスケジュールファイルを生成することができる。
【００１４】
上記情報処理装置は、ユーザの操作入力に応じて候補リストに含まれる登録候補を修正する修正部をさらに備えてもよい。
【００１５】
これにより、スケジュール抽出部が不正確な情報の抽出を行った場合でもユーザの操作入力に応じて候補リストに含まれる登録候補を修正することが可能となるため、正確かつ確実に電子メールに含まれる日時および内容情報に従ってスケジュールファイルを生成することができる。
【００１６】
上記情報処理装置は、さらに、スケジュール抽出部が抽出した日時が、スケジュール格納部に予め格納されているスケジュールファイルのいずれかに含まれる日時と等しいか否かを判定する重複判定部と、重複判定部が抽出した日時がスケジュールファイルのいずれかに含まれる日時と等しいと判定した場合、表示部にその旨を表示する重複報知部と、を備えてもよい。
【００１７】
これにより、ユーザは、電子メールに含まれスケジュールファイルとして生成される可能性のある日時がスケジュール格納部に予め格納されているスケジュールファイルのいずれかに含まれる日時と等しい場合、すなわち日時の重複（バッティング）が予想される旨を、表示部を介して視認することができる。
【００１８】
上記情報処理装置は、スケジュール格納部に格納されたスケジュールファイルに含まれる日時の所定時間前に当該日時の予告を行う予告報知部とさらに備えてもよい。
【００１９】
かかる構成により、ユーザに、スケジュールファイルに含まれる日時を事前に報知することが可能となり、ユーザにその日時を事前に認識させることができる。
【００２０】
上記課題を解決するために、本発明にかかるスケジュール管理方法の代表的な構成は、情報処理装置を用いたスケジュール管理方法であって、電子メールを取得し、取得した電子メールに、日時および場所、対象物、用件のうちいずれかもしくは複数を含む内容情報が含まれているか否かを判定、抽出し、抽出した日時および内容情報を登録候補としてリスト化した候補リストを生成し、候補リストを表示し、ユーザの承諾入力に応じて選択された登録候補に従ってスケジュールファイルを生成し、スケジュールファイルを格納することを特徴とする。
【００２１】
上述した情報処理装置における技術的思想に対応する構成要素やその説明は、当該スケジュール管理方法にも適用可能である。
【発明の効果】
【００２２】
以上説明したように本発明は、取得した電子メールに含まれる日時、および場所や用件等を迅速かつ容易に登録することが可能となる。
【図面の簡単な説明】
【００２３】
【図１】無線通信システムの概略的な接続関係を示した説明図である。
【図２】ＰＨＳ端末のハードウェア構成を示した機能ブロック図である。
【図３】ＰＨＳ端末の外観を示した斜視図である。
【図４】候補リストが表示された表示部の例を説明するための説明図である。
【図５】重複判定部が抽出した日時がスケジュールファイルのいずれかに含まれる日時と等しいと判定した場合の表示部の例を説明するための説明図である。
【図６】ＰＨＳ端末を用いたスケジュール管理方法の具体的な処理の流れを示したフローチャートである。
【発明を実施するための形態】
【００２４】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２５】
従来は、情報処理装置を利用してスケジュール登録を行う場合、日時、場所、用件等の情報をすべて、ユーザが手動で入力していた。また、たとえ受信した電子メールに日時、および場所や用件等が含まれていた、すなわち日時、および場所や用件等が電子化されていたとしても、ユーザ自身が電子メールから情報を把握し、別途スケジュールとして入力、登録を行っていた。
【００２６】
本実施形態では、取得した電子メールに含まれる日時および内容情報を自動的に抽出することにより、取得した電子メールに含まれる日時および内容情報を迅速かつ容易に更新もしくは登録することができる情報処理装置およびスケジュール管理方法を説明する。以下の実施形態では、理解を容易にするため、まず情報処理装置が電子メールを取得する無線通信システム全体の構成を説明し、その後で情報処理装置の構成を詳述する。ここでは、理解を容易にするために情報処理装置としてＰＨＳ端末を挙げているが、かかる場合に限らず、携帯電話、ノート型パーソナルコンピュータ、ＰＤＡ、デジタルカメラ、音楽プレイヤー、カーナビゲーション、ポータブルテレビ、ゲーム機器、ＤＶＤプレイヤー、リモートコントローラ等電子メールを取得可能な様々な電子機器を情報処理装置として用いることもできる。
（無線通信システム１００）
図１は、無線通信システム１００の概略的な接続関係を示した説明図である。当該無線通信システム１００は、ＰＨＳ端末１１０（１１０Ａ、１１０Ｂ）と、基地局１２０（１２０Ａ、１２０Ｂ）と、ＩＳＤＮ(Integrated Services Digital Network)回線、インターネット、専用回線等で構成される通信網１３０と、中継サーバ１４０とを含んで構成される。
【００２７】
上記無線通信システム１００において、ユーザが自身のＰＨＳ端末１１０Ａから他のＰＨＳ端末１１０Ｂへの電子メールを送信するために通信回線の接続を行う場合、ＰＨＳ端末１１０Ａは、通信可能範囲内にある基地局１２０Ａに無線接続要求を行う。無線接続要求を受信した基地局１２０Ａは、通信網１３０を介して中継サーバ１４０に通信相手との通信接続を要求し、中継サーバ１４０は、他のＰＨＳ端末１１０Ｂの位置登録情報を参照し、他のＰＨＳ端末１１０Ｂの無線通信範囲内にある基地局１２０Ｂを選択して、ＰＨＳ端末１１０Ｂとの通信を設定する。
【００２８】
本実施形態においてＰＨＳ端末１１０Ａから送信された電子メールを受信したＰＨＳ端末１１０Ｂは、受信した電子メールに日時および内容情報が含まれているか否かを判定し、日時および内容情報が含まれている場合、当該日時および内容情報を自動的に抽出して登録することが可能となる。以下に、無線通信システム１００を構成するＰＨＳ端末１１０について詳細に述べる。
（ＰＨＳ端末１１０）
図２は、ＰＨＳ端末１１０のハードウェア構成を示した機能ブロック図であり、図３は、ＰＨＳ端末１１０の外観を示した斜視図である。ＰＨＳ端末１１０は、端末制御部２１０と、端末メモリ２１２と、表示部２１４と、操作部２１６と、音声入力部２１８と、音声出力部２２０と、端末無線通信部２２２と、を含んで構成される。
【００２９】
端末制御部２１０は、中央処理装置（ＣＰＵ）を含む半導体集積回路によりＰＨＳ端末１１０全体を管理および制御する。また、端末制御部２１０は、端末メモリ２１２のプログラムを用いて、通話機能、メール送受信機能、撮像機能、音楽再生機能、ＴＶ視聴機能も遂行する。
【００３０】
端末メモリ２１２は、ＲＯＭ、ＲＡＭ、ＥＥＰＲＯＭ、不揮発性ＲＡＭ、フラッシュメモリ、ＨＤＤ（Hard Disk Drive）等で構成され、端末制御部２１０で処理されるプログラムや音声データ等を記憶する。
【００３１】
本実施形態において端末メモリ２１２は、スケジュール格納部２３０としても機能する。
【００３２】
スケジュール格納部２３０は、日時と、場所、対象物、用件のうちいずれかもしくは複数を含む内容情報とが関連付けられたスケジュールファイルを格納する。本実施形態において、内容情報とは日時と、場所、対象物、用件のうちいずれかもしくは複数を含むものであるが、これに限定されず、画像、ＵＲＬ（Uniform Resource Locator）等を含んでもよい。なお、本実施形態において対象物は、会う人、持参物等である。
【００３３】
表示部２１４は、液晶ディスプレイ、ＥＬ(Electro Luminescence)等で構成され、端末メモリ２１２に記憶された、または通信網１３０を介してアプリケーション中継サーバ（図示せず）から提供される、ＷｅｂブラウザやアプリケーションのＧＵＩ（Graphical User Interface）を表示することができる。操作部２１６は、キーボード、十字キー、ジョイスティック等のスイッチから構成され、ユーザの操作入力を受け付ける。本実施形態において表示部２１４は、後述する候補リスト生成部２５２が生成した候補リストも表示する。
【００３４】
音声入力部２１８は、マイク等の音声認識手段で構成され、通話時に入力されたユーザの音声をＰＨＳ端末１１０内で処理可能な電気信号に変換する。音声出力部２２０は、スピーカで構成され、ＰＨＳ端末１１０で受信した通話相手の音声信号を音声に変えて出力する。また、着信音や、操作部２１６の操作音、アラーム音等も出力できる。
【００３５】
端末無線通信部２２２は、通信網１３０における基地局１２０との無線通信を行う。このような無線通信としては、基地局１２０内でフレームを時分割した複数のタイムスロットをそれぞれＰＨＳ端末１１０のチャネルに割り当てて通信を行う時分割多元接続（ＴＤＭＡ：Time Division Multiplex Access）等が採用されている。
【００３６】
本実施形態において端末無線通信部２２２は、他のＰＨＳ端末１１０やパーソナルコンピュータ等から送信された電子メールを受信（取得）するメール取得部２２４としても機能する。
【００３７】
また、本実施形態において、端末制御部２１０は、スケジュール抽出部２５０、候補リスト生成部２５２、修正部２５４、重複判定部２５６、重複報知部２５８、ファイル生成部２６０、予告報知部２６２、としても機能する。
【００３８】
スケジュール抽出部２５０は、メール取得部２２４が受信した電子メールに、日時および内容情報が含まれているか否かを判定し、当該日時および内容情報を抽出する。
【００３９】
本実施形態において、かかる日時の判定は、「年」「月」「日」「時」「分」「午前」「午後」「ＡＭ」「ＰＭ」等の文字列、昭和、平成等の元号の文字列、２００８０４０１等の８桁の数字の配列、２００８／４／１等の数字の間にスラッシュを挟んだ配列、１０：３０等の数字のコロンを挟んだ配列等を探すことで為される。
【００４０】
また本実施形態において、かかる内容情報の判定は、場所であれば、「駅」「公園」「ビル」「屋」等場所を表す文字を含む文字列や、「〜に」「〜で」等の格助詞を含む文字列等を、対象物であれば、面会する人を特定する１〜４文字の漢字のスペースを挟んだ配列、または持参物を特定する「〜を」等の格助詞を含む文字列を、用件であれば、「コンサート」「会議」「ぶどう狩り」等の行動を表す文字列を探すことで為される。
【００４１】
これにより、日時および内容情報が、取得した電子メールに含まれるか否かを迅速かつ容易に判定し、抽出することができる。
【００４２】
本実施形態において、スケジュール抽出部２５０による日時および内容情報の抽出は上述したように為されるが、ＰＨＳ端末１１０のユーザがスケジュールとして登録した文言を予め蓄積しておき、登録済みの文言のみを抽出してもよいし、任意の文言を予め設定しておき、当該設定した文言を含む文字列のみを抽出してもよい。例えば、「重要」が予め設定されている場合、「重要会議」等を抽出する。
【００４３】
なお、本実施形態において、スケジュール抽出部２５０は、電子メールの本文もしくは件名に、日時および内容情報が含まれているか否かを判定し、当該日時および内容情報を抽出するが、これに限定されず、添付ファイルの通常文章から抽出してもよい。
【００４４】
候補リスト生成部２５２は、スケジュール抽出部２５０が抽出した日時および内容情報を登録候補としてリスト化した候補リストを生成する。上述したように、生成された候補リストは、表示部２１４に表示される。
【００４５】
図４は、候補リストが表示された表示部２１４の例を説明するための説明図である。図４（ａ）に示すように、本実施形態において、候補リストが作成された場合、すなわち取得した電子メールに日時および内容情報が含まれている場合にその旨を表すアイコン２７０を表示する。
【００４６】
操作部２１６等のユーザによる操作入力に応じてアイコン２７０が選択された場合、候補リストが表示部２１４に表示される（図４（ｂ）参照）。候補リストは、日時ごとのスケジュールファイルをユーザが視認できる表示形式で表示する。
【００４７】
候補リストには、スケジュール抽出部２５０が抽出した日時に１または複数の内容情報を関連付けた登録候補を含んでいる。例えば、日時、場所、用件、会う人等の内容情報、当該内容情報を含む電子メールの送信元、当該内容情報を登録したか否かを表すアイコン２７０ａ、当該内容情報を含む電子メールへのリンクを表すアイコン２７０ｂ等を候補リストとして表示する（図４（ｂ）参照）。
【００４８】
これにより、ユーザは、電子メールを開封せずとも当該電子メールに含まれる登録候補の日時および内容情報を含む候補リストを、表示部２１４を介して視認することができる。
【００４９】
修正部２５４は、操作部２１６等のユーザの操作入力に応じて候補リストに含まれる登録候補を修正する。これにより、スケジュール抽出部２５０が不正確な情報の抽出を行った場合でもユーザの操作入力に応じて候補リストに含まれる登録候補を修正することが可能となるため、正確かつ確実に電子メールに含まれる日時および内容情報をスケジュールファイルに登録することができる。
【００５０】
重複判定部２５６は、スケジュール抽出部２５０が抽出した日時が、スケジュール格納部２３０に予め格納されているスケジュールファイルのいずれかに含まれる日時と等しいか否かを判定する。
【００５１】
本実施形態において、日時が等しいとは、昭和、平成等の元号と西暦や、午後１０時、ＰＭ１０時、２２時という表現が違ったとしても実質的に等しい日時を当然にして日時が等しいとする。また、時間帯が重複する場合、例えば、同日で１０時から１５時までと１３時から１７時までは１３時から１５時までの重複期間を日時が等しいと判定する。
【００５２】
重複報知部２５８は、重複判定部２５６が抽出した日時がスケジュールファイルのいずれかに含まれる日時と等しいと判定した場合、表示部２１４にその旨を表示する。
【００５３】
図５は、重複判定部２５６が抽出した日時がスケジュールファイルのいずれかに含まれる日時と等しいと判定した場合の表示部２１４の例を説明するための説明図である。図５（ａ）に示すように、本実施形態において、重複判定部２５６が抽出した日時がスケジュールファイルのいずれかに含まれる日時と等しいと判定した場合、すなわち日時の重複（バッティング）がある場合にその旨を表すアイコン２７２を表示する。
【００５４】
操作部２１６等のユーザによる操作入力に応じてアイコン２７２が選択された場合、候補リストが表示部２１４に表示され、候補リストには、日時の重複（バッティング）がある旨を表すアイコン２７２ａが表示される（図５（ｂ）参照）。
【００５５】
これにより、ユーザは、電子メールに含まれスケジュールファイルに登録される可能性のある日時が、スケジュール格納部２３０に予め格納されているスケジュールファイルのいずれかに含まれる日時と等しい場合、すなわち日時の重複（バッティング）が予想される場合、その旨を、表示部２１４を視認するだけで確認することができる。
【００５６】
また、操作部２１６等のユーザによる操作入力に応じて、日時の重複（バッティング）の旨を表すアイコン２７２ａが選択された場合、重複している予め格納されているスケジュールファイルへリンクしてもよい。
【００５７】
ファイル生成部２６０は、操作部２１６等のユーザの承諾入力に応じて選択された、候補リスト生成部２５２が生成した候補リストに含まれる登録候補に従ってスケジュールファイルを生成する。本実施形態において、ファイル生成部２６０は、表示部２１４に表示された候補リストに含まれる内容情報を登録したか否かを表すアイコン２７０ａ（図４参照）が操作部２１６等のユーザによる入力によって選択された場合、候補リスト生成部２５２が生成した登録候補を転記してスケジュールファイルを生成する。
【００５８】
ここで生成は新規の生成および既存のスケジュールファイルの更新（上書き）の両方の意味を含んでいる。例えば、表示部２１４に日時の重複（バッティング）の旨を表すアイコン２７２ａが表示されている場合に、登録したか否かを表すアイコン２７０ａが操作部２１６等のユーザによる入力によって選択された場合、候補リスト生成部２５２が生成した登録候補をスケジュールファイルに上書きする。
【００５９】
これにより、スケジュール抽出部２５０が間違った抽出や不要な抽出を行った場合であっても、ユーザが表示部２１４を介して候補リストの確認を行い、その後ユーザの承諾入力に応じてファイル生成部２６０がスケジュールファイルとして生成するため、正確かつ確実に電子メールに含まれる日時および内容情報をスケジュールファイルとして生成することができる。
【００６０】
予告報知部２６２は、スケジュール格納部２３０に格納されたスケジュールファイルに含まれる日時の所定時間前に当該日時の予告を行う。本実施形態において予告報知部２６２は、スケジュール格納部２３０に格納されたスケジュールファイルに含まれる日時の５分前に音声出力部２２０に音声を出力させることで予告を遂行するが、これに限定されず、バイブレータ、表示部２１４の点滅等も好適に利用することができる。また所定時間はユーザの操作部２１６等の入力に応じて任意に設定してもよい。
【００６１】
これにより、ユーザに、スケジュールファイルに含まれる日時を事前に報知することが可能となり、ユーザにその日時を事前に認識させることができる。る。
【００６２】
次に、上述した無線通信システム１００におけるＰＨＳ端末１１０によって実行されるスケジュール管理方法を説明する。
（スケジュール管理方法）
図６は、ＰＨＳ端末１１０を用いたスケジュール管理方法の具体的な処理の流れを示したフローチャートである。
【００６３】
他のＰＨＳ端末１１０やパーソナルコンピュータ等から送信された電子メールをメール取得部２２４が取得(受信)すると（Ｓ３００：メール取得ステップ）、スケジュール抽出部２５０が、メール取得ステップＳ３００において取得した電子メールに日時および内容情報が含まれているか否かを判定し、（Ｓ３０２：内容情報判定ステップ）、日時および内容情報が含まれていると判定された場合、当該電子メールから日時および内容情報を抽出する（Ｓ３０４：スケジュール抽出ステップ）。
【００６４】
スケジュール抽出ステップＳ３０４において、抽出した日時および内容情報を、候補リスト生成部２５２が登録候補としてリスト化した候補リストを生成する（Ｓ３０６：候補リスト生成ステップ）。候補リスト生成ステップＳ３０６において、生成された候補リストは、表示部２１４に表示される（Ｓ３０８：表示ステップ）。
【００６５】
ユーザの承諾入力の有無を判定し（Ｓ３１０：ユーザ入力判定ステップ）、ユーザの承諾入力があれば、表示ステップＳ３０８において表示された登録候補を転記してスケジュールファイルを生成し（Ｓ３１２：ファイル生成ステップ）、スケジュール格納部２３０に格納する（Ｓ３１４：格納ステップ）。
【００６６】
内容情報判定ステップＳ３０２において、日時および内容情報が含まれていないと判定された場合、当該電子メールに、日時もしくは内容情報のどちらかが含まれているか否かを判定する（Ｓ３１６：日時判定ステップ）。日時判定ステップＳ３１６において日時もしくは内容情報のどちらかが含まれていると判定された場合、候補リスト生成部２５２は、その旨を表すアイコンを表示部２１４に表示する（Ｓ３１８：表示ステップ）。
【００６７】
操作部２１６等のユーザによる操作入力（Ｓ３２０：入力ステップ）に応じて日時もしくは内容情報のどちらかが含まれている旨を表すアイコンが選択された場合、当該日時もしくは内容情報のどちらかを含む電子メールを表示部２１４に表示する（Ｓ３２２：電子メール表示ステップ）。こうして、ユーザは、電子メールに記載された日時もしくは内容情報が必要な情報か否か視認することが可能となる。
【００６８】
かかるスケジュール管理方法により、ユーザは従来のような煩雑な操作入力をせずとも、取得した電子メールに含まれる日時および場所、対象物、用件のうちいずれかもしくは複数を含む内容情報に従って、正確かつ迅速にスケジュールファイルを生成することができる。
【００６９】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７０】
例えば、上述した実施形態においては、電子メールの取得を無線通信を介して行っているが、有線通信を介して行ってもよい。
【００７１】
なお、本明細書のスケジュール管理方法における各工程は、必ずしもフローチャートとして記載された順序に沿って時系列に処理する必要はなく、並列的あるいはサブルーチンによる処理を含んでもよい。
【産業上の利用可能性】
【００７２】
本発明は、取得した電子メールを利用してスケジュール管理を行う情報処理装置およびスケジュール管理方法に利用することができる。
【符号の説明】
【００７３】
１００ …無線通信システム
１１０ …ＰＨＳ端末
１２０ …基地局
１３０ …通信網
１４０ …中継サーバ
２１０ …端末制御部
２１２ …端末メモリ
２１４ …表示部
２１６ …操作部
２１８ …音声入力部
２２０ …音声出力部
２２２ …端末無線通信部
２２４ …メール取得部
２３０ …スケジュール格納部
２５０ …スケジュール抽出部
２５２ …候補リスト生成部
２５４ …修正部
２５６ …重複判定部
２５８ …重複報知部
２６０ …ファイル生成部
２６２ …予告報知部
２７０、２７２ …アイコン
【図１】
2013047966.tif 000003
【図２】
2013047966.tif 000004
【図３】
2013047966.tif 000005
【図４】
2013047966.tif 000006
【図５】
2013047966.tif 000007
【図６】
2013047966.tif 000008